(57)【特許請求の範囲】
【請求項１】
フレキシブル周波数グリッドを用いた高密度波長分割多重方式による光ネットワークを構成する複数の光ノードのうちの２個の光ノードからなる光ノード対を複数個選択し、複数の前記光ノード対のそれぞれの間に、前記光ノード対を異なる経路で結ぶ第１の光パスと第２の光パスを含む複数の光パスを設定する光パス設定手段と、
前記光パスの長さと通信容量に基づいて、前記第１の光パスの光帯域の総計量が、前記第２の光パスの光帯域の総計量以上となるように、前記光帯域をそれぞれ設定する光帯域設定手段、とを有し、
前記光パス設定手段は、前記第１の光パスを運用系光パスに割り当て、前記第２の光パスを予備系光パスに割り当てる
光ネットワーク制御装置。
【請求項２】
請求項１に記載した光ネットワーク制御装置において、
前記光ネットワーク内において未使用である光帯域を検索する未使用光帯域検索手段と、
前記未使用光帯域検索手段が検索した結果から得た中心波長が異なる複数の未使用光帯域を、波長多重することによって新規光パスを生成する光パス生成手段、とをさらに有する
光ネットワーク制御装置。
【請求項３】
請求項２に記載した光ネットワーク制御装置において、
前記光パス設定手段は、前記新規光パスを、前記運用系光パスおよび前記予備系光パスのいずれか一方に割り当てる
光ネットワーク制御装置。
【請求項４】
請求項２に記載した光ネットワーク制御装置において、
前記光パス設定手段は、前記新規光パスを、前記予備系光パスの前記光帯域が小さい順に、前記予備系光パスの追加予備系パスとして割り当てる
光ネットワーク制御装置。
【請求項５】
フレキシブル周波数グリッドを用いた高密度波長分割多重方式による光ネットワークを構成する複数の光ノードのうちの２個の光ノードからなる光ノード対を複数個選択し、
複数の前記光ノード対のそれぞれの間に、前記光ノード対を異なる経路で結ぶ第１の光パスと第２の光パスを含む複数の光パスを設定し、
前記光パスの長さと通信容量に基づいて、前記第１の光パスの光帯域の総計量が、前記第２の光パスの光帯域の総計量以上となるように、前記光帯域をそれぞれ設定し、
前記光パスを設定する際に、前記第１の光パスを運用系光パスに割り当て、前記第２の光パスを予備系光パスに割り当てる
光ネットワーク制御方法。
【請求項６】
請求項５に記載した光ネットワーク制御方法において、
前記光ネットワーク内において未使用である光帯域を検索し、検索した結果から得た中心波長が異なる複数の未使用光帯域を、波長多重することによって新規光パスを生成する
光ネットワーク制御方法。
【請求項７】
請求項６に記載した光ネットワーク制御方法において、
前記光パスを設定する際に、前記新規光パスを、前記運用系光パスおよび前記予備系光パスのいずれか一方に割り当てる
光ネットワーク制御方法。
【請求項８】
請求項６に記載した光ネットワーク制御方法において、
前記光パスを設定する際に、前記新規光パスを、前記予備系光パスの前記光帯域が小さい順に、前記予備系光パスの追加予備系パスとして割り当てる
光ネットワーク制御方法。
【発明の詳細な説明】
【技術分野】
【０００１】
本発明は、光ネットワーク制御装置および光ネットワーク制御方法に関し、特に、フレキシブル周波数グリッドを用いた高密度波長分割多重方式による光ネットワークに使用する光ネットワーク制御装置および光ネットワーク制御方法に関する。
【背景技術】
【０００２】
今後予想される情報通信量の爆発的な拡大に対応するため、基幹系光ネットワークの容量の拡大が課題となっている。これに対して、様々な取り組みが行われているが、その一つとして、光帯域利用効率の向上を図る研究開発が行われている。【０００３】
光ネットワークでは、国際電気通信連合（Ｉｎｔｅｒｎａｔｉｏｎａｌ  Ｔｅｌｅｃｏｍｍｕｎｉｃａｔｉｏｎ  Ｕｎｉｏｎ：ＩＴＵ）電気通信標準化部門（Ｔｅｌｅｃｏｍｍｕｎｉｃａｔｉｏｎ  Ｓｔａｎｄａｒｄｉｚａｔｉｏｎ  Ｓｅｃｔｏｒ：ＩＴＵ−Ｔ）で標準化されている高密度波長分割多重（Ｄｅｎｓｅ  Ｗａｖｅｌｅｎｇｔｈ  Ｄｉｖｉｓｉｏｎ  Ｍｕｌｔｉｐｌｅｘｉｎｇ：ＤＷＤＭ）方式に従って光帯域が利用されている。ＤＷＤＭ方式においては、利用可能な光帯域全体を波長グリッドと呼ばれる一定幅のグリッドで細分化し、そのグリッド幅内に一波長チャネルの光信号を割り当てている（ＩＴＵ−Ｔ勧告Ｇ．６９４．１）。【０００４】
例えば、グリッド幅が５０ＧＨｚの光ネットワークでは、すべての光信号について専有する光帯域が５０ＧＨｚ以下である必要がある。伝送速度が４０Ｇｂｐｓ（Ｇｉｇａｂｉｔｓ  ｐｅｒ  ｓｅｃｏｎｄ）の光信号が占める光帯域は、隣接チャネルとの干渉を避けるためのガードバンドを考慮すると約５０ＧＨｚである。したがって、グリッド幅が５０ＧＨｚの光ネットワークで利用する光信号の伝送速度がすべて４０Ｇｂｐｓであれば、その光ネットワーク内で利用可能な光帯域は隙間なく利用可能である。しかし、光帯域が約１５ＧＨｚである１０Ｇｂｐｓの光信号が混在している場合、５０ＧＨｚのグリッドのうち３５ＧＨｚ分の光帯域が未使用となり、かつ、他の光信号に割り当てることもできない。【０００５】
また、伝送距離に着目すると、上述した例のようにグリッド幅が５０ＧＨｚの光ネットワークにおいて、光信号の伝送速度がすべて４０Ｇｂｐｓである場合であっても、以下に示すように光帯域の割り当てに無駄が生じる。５０ＧＨｚの光帯域をすべて専有した場合、光終端することなく伝送可能な距離は約５００ｋｍ程度である。従って、光パス長が５００ｋｍよりも短い場合、実際に割り当てられた５０ＧＨｚよりも少ない光帯域でも伝送が可能である。例えば、伝送速度が４０Ｇｂｐｓで光パス長が２５０ｋｍである光パスを考える。このとき、最低限必要な光帯域が２５ＧＨｚであるとすると、グリッド幅が５０ＧＨｚの光ネットワークでは２５ＧＨｚ分の光帯域が過剰な割り当てとなり、かつ、他の光信号に割り当てることもできない。【０００６】
このような問題を解決する技術としてフレキシブル周波数グリッドを利用したエラスティック光ネットワーク技術が提案されている（例えば、特許文献１参照）。フレキシブル周波数グリッドはＤＷＤＭをさらに高機能化した波長分割多重を支える技術であり、ＩＴＵ−Ｔで標準化されている（ＩＴＵ−Ｔ勧告Ｇ．６９４．１）。フレキシブル周波数グリッドでは、グリッド幅をＤＷＤＭの周波数グリッドよりもさらに細分化している。そして、光パスに割り当てるグリッド幅を可変とし、光パス毎に個別にグリッド幅を設定できるようにしている。これにより、エラスティック光ネットワークでは、光パス長とトラフィック量に応じて光パスに必要最低限の光帯域を割り当てることが可能であり、光帯域の利用効率を向上させることができる。
【先行技術文献】
【特許文献】
【０００７】
【特許文献１】国際公開第２０１２／１４７８８９号
【発明の概要】
【発明が解決しようとする課題】
【０００８】
光ネットワークでは、障害回復を考慮に入れた光パスの割り当てを行っている。このとき、例えばＯＳＰＦ（Ｏｐｅｎ  Ｓｈｏｒｔｅｓｔ  Ｐａｔｈ  Ｆｉｒｓｔ）プロトコルを用いた光パス設定では、光ネットワーク内の距離が最短となるように運用系の光パスを設定する。したがって、予備系光パスの長さは運用系光パスの長さよりも長くなる。【０００９】
しかしながら、上述したエラスティック光ネットワークのようなフレキシブル周波数グリッドを用いた光ネットワークにおいては、光パス長とトラフィック量に応じて必要最低限の光帯域を割り当てる。そのため、光ネットワーク全体では運用系光パスよりも予備系光パスにおける光帯域の方が大きくなる。予備系光パスは光ネットワークの信頼性を確保するためには不可欠であるが、予備系光パスの光帯域は障害が発生しない限り使用されないので、運用系光パスにとっては無駄な帯域割り当てとなる。そのため、光ネットワーク全体の利用効率が低下してしまう。【００１０】
このように、フレキシブル周波数グリッドを用いた高密度波長分割多重方式による光ネットワークにおいては、障害耐性を向上させるとともに、光ネットワーク全体としての光帯域利用効率の向上を図ることが困難である、という問題点があった。【００１１】
本発明の目的は、上述した問題点を解決する光ネットワーク制御装置および光ネットワーク制御方法を提供することにある。
【課題を解決するための手段】
【００１２】
本発明の光ネットワーク制御装置は、フレキシブル周波数グリッドを用いた高密度波長分割多重方式による光ネットワークを構成する複数の光ノードのうちの２個の光ノードからなる光ノード対を複数個選択し、複数の光ノード対のそれぞれの間に、光ノード対を異なる経路で結ぶ第１の光パスと第２の光パスを含む複数の光パスを設定する光パス設定手段と、光パスの長さと通信容量に基づいて、第１の光パスの光帯域の総計量が、第２の光パスの光帯域の総計量以上となるように、光帯域をそれぞれ設定する光帯域設定手段、とを有する。【００１３】
本発明の光ネットワーク制御方法は、フレキシブル周波数グリッドを用いた高密度波長分割多重方式による光ネットワークを構成する複数の光ノードのうちの２個の光ノードからなる光ノード対を複数個選択し、複数の光ノード対のそれぞれの間に、光ノード対を異なる経路で結ぶ第１の光パスと第２の光パスを含む複数の光パスを設定し、光パスの長さと通信容量に基づいて、第１の光パスの光帯域の総計量が、第２の光パスの光帯域の総計量以上となるように、光帯域をそれぞれ設定する。
【発明の効果】
【００１４】
本発明の光ネットワーク制御装置および光ネットワーク制御方法によれば、フレキシブル周波数グリッドを用いた高密度波長分割多重方式による光ネットワークにおいて、障害耐性を向上させることができる。それとともに、光ネットワーク全体としての光帯域利用効率の向上を図ることができる。
【図面の簡単な説明】
【００１５】
【図１】本発明の第１の実施形態に係る光ネットワーク制御装置の構成を示すブロック図である。
【図２】光ネットワークの構成の一例を示す概略図である。
【図３】通信容量と伝送距離の積と光帯域幅との関係を示す概略図である。
【図４】フレキシブル周波数グリッドを用いたＤＷＤＭ方式における光帯域を説明するための模式図である。
【図５Ａ】光ネットワーク全体の光パスへの光帯域割り当てを説明するための模式図であり、ＯＳＰＦプロトコルに基づいて割り当てた場合である。
【図５Ｂ】光ネットワーク全体の光パスへの光帯域割り当てを説明するための模式図であり、本発明の第１の実施形態に係る光ネットワーク制御装置を用いて割り当てた場合である。
【図６】本発明の第１の実施形態に係る光ネットワーク制御装置の動作を説明するための光ネットワークの構成の一例を示す概略図である。
【図７】本発明の第２の実施形態に係る光ネットワーク制御装置の構成を示すブロック図である。
【図８Ａ】光ネットワーク全体の光パスへの光帯域割り当てを説明するための模式図であり、本発明の第１の実施形態に係る光ネットワーク制御装置を用いて割り当てた場合である。
【図８Ｂ】光ネットワーク全体の光パスへの光帯域割り当てを説明するための模式図であり、本発明の第２の実施形態に係る光ネットワーク制御装置を用いて割り当てた場合である。
【図９Ａ】光ネットワーク全体の光パスへの別の光帯域割り当てを説明するための模式図であり、本発明の第１の実施形態に係る光ネットワーク制御装置を用いて割り当てた場合である。
【図９Ｂ】光ネットワーク全体の光パスへの別の光帯域割り当てを説明するための模式図であり、本発明の第２の実施形態に係る光ネットワーク制御装置を用いて割り当てた場合である。
【発明を実施するための形態】
【００１６】
以下に、図面を参照しながら、本発明の実施形態について説明する。
【００１７】
〔第１の実施形態〕
図１は、本発明の第１の実施形態に係る光ネットワーク制御装置１００の構成を示すブロック図である。
【００１８】
光ネットワーク制御装置１００は、フレキシブル周波数グリッドを用いた高密度波長分割多重方式による光ネットワーク１０００を制御するために用いられる。ここで、光ネットワーク１０００は、光ファイバで接続された複数の光ノードを有し、各光ノードを始点、通過点、および終点とする複数の光パスを設定することが可能である。
【００１９】
光ネットワーク制御装置１００は、光パス設定手段１１０と光帯域設定手段１２０とを有する。
【００２０】
光パス設定手段１１０は、光ネットワーク１０００を構成する複数の光ノードのうちの２個の光ノードからなる光ノード対を複数個選択する。そして、複数の光ノード対のそれぞれの間に、光ノード対を異なる経路で結ぶ第１の光パスと第２の光パスを含む複数の光パスを設定する。光帯域設定手段１２０は、光パスの長さと通信容量に基づいて、第１の光パスの光帯域の総計量が、第２の光パスの光帯域の総計量以上となるように、光帯域をそれぞれ設定する。
【００２１】
このような構成とすることにより、本実施形態の光ネットワーク制御装置１００によれば、同一の光ノード対の間に複数の光パスが設定されるので、障害耐性を向上させることができる。それとともに、第１の光パスの光帯域の総計量が第２の光パスの光帯域の総計量以上となるように光帯域が設定されるので、光ネットワーク全体としての光帯域利用効率の向上を図ることができる。
【００２２】
具体的には、第１の光パスを運用系光パスに割り当て、第２の光パスを予備系光パスに割り当てることにより、障害耐性を向上させるとともに、運用時の光帯域利用効率を光ネットワーク全体として向上させることができる。
【００２３】
ここで、光ネットワーク１０００に設定される光パスについて図２を用いて説明する。図２は光ネットワーク１０００の構成の一例を示す概略図である。以下では、図２に示した５個の光ノードＡ１００１〜Ｅ１００５がリング状に接続されたリングネットワークを光ネットワーク１０００の一例として説明する。
【００２４】
光ノードＡ１００１と光ノードＣ１００３からなる光ノード対に光パスを設定する場合、光ノードＡ→Ｂ→Ｃを経由する右回りの光パス１０１１と、光ノードＡ→Ｅ→Ｄ→Ｃを経由する左回りの光パス１０１０を設定することができる。簡単のため、各光ノード間の距離は等しいとすると、光パス１０１０の長さは光パス１０１１の長さよりも大きい。そのため、光パス１０１０に割り当てるべき光帯域１０２０の方が光パス１０１１に割り当てるべき光帯域１０２１よりも大きくなる。これは、図３に示すように、通信容量が大きくなるほど、または、伝送距離が長くなるほど光雑音が蓄積されるので、それに見合った分量の光信号成分、すなわち光帯域幅が必要になるからである。
【００２５】
ここで、光パス１０１１と光パス１０１０のいずれも運用系（または予備系）に割り当てることができる。例えば、光パス１０１１を運用系光パスに割り当てるとすると、光パス１０１０を予備系光パスに割り当てることになる。この場合、光ノードＡ１００１と光ノードＣ１００３からなる光ノード対の光パスにおいては、図３に示した関係から運用系光パスの光帯域の方が予備系光パスの光帯域よりも小さくなる。
【００２６】
図２に示したリングネットワーク１０００において、他のノード間の接続が存在する場合、例えば光ノードＢと光ノードＤを接続する場合についても同様に、二通りの光パスのいずれも運用系（または予備系）に割り当てることができる。
【００２７】
このとき、ＯＳＰＦ（Ｏｐｅｎ  Ｓｈｏｒｔｅｓｔ  Ｐａｔｈ  Ｆｉｒｓｔ）プロトコルに基づいて、距離が短い方の光パスを運用系光パスに割り当てることとすると、光ネットワーク全体では運用系光パスの光帯域の方が予備系光パスの光帯域よりも小さくなる。一旦、予備系光パスに設定されると、その光帯域は通常の運用時には使用できない光帯域となる。そのため、光ネットワーク全体の実効的な利用効率が低下することになる。
【００２８】
しかしながら、本実施形態の光ネットワーク制御装置１００によれば、複数の光パスの内の一方の光帯域の総計量が、他方の光パスの光帯域の総計量以上となるように光帯域を設定する。そのため、光ネットワーク全体では運用系光パスの光帯域が予備系光パスの光帯域以上となるように設定することが可能になる。その結果、光ネットワーク全体の実効的な利用効率が低下することを回避することができる。
【００２９】
次に、本実施形態による光ネットワーク制御装置１００の動作について詳細に説明する。
【００３０】
まず、フレキシブル周波数グリッドを用いたＤＷＤＭ方式における光帯域について図４を用いて説明する。図４は、伝送距離に関わらず、運用系光パスおよび予備系光パスのいずれに対しても同じ光帯域を割り当てた場合の一例を示している。同図中、Ｂ００１とＢ００２、Ｂ００３とＢ００４、〜、Ｂ００９とＢ０１０がそれぞれ運用系光パスと予備系光パスの対となっており、それらに対する光帯域の割り当てを示している。この場合、運用系光パスと予備系光パスに割り当てられる光帯域は常に等しい。そのため、個々の光パスを運用系光パスとして使用するか、あるいは予備系光パスとして使用するかの違いに起因する光ネットワーク全体の光帯域の利用効率には差が生じない。
【００３１】
図５Ａ、５Ｂに、光パスの伝送距離に応じて、必要となる最小限の光帯域を割り当てることとした場合における、光ネットワーク全体の光パスへの光帯域割り当ての例を示す。
【００３２】
図５Ａは、上述したＯＳＰＦプロトコルに基づいて光パスを設定した例を示す。この場合は、最短距離の光パスを運用系光パスに設定する。ここで、図３を用いて説明したように、通信容量と伝送距離の積と、それを実現するために必要な光帯域幅との関係は正比例の関係にある。したがって、光パスの長さが短いほど、必要な光帯域幅を減らすことができる。そのため、運用系光パス向けに割り当てるのに必要な光帯域幅と、予備系光パス向けに割り当てるのに必要な光帯域幅に差異が生じる。その結果、図５Ａに示すように、光ネットワーク全体では運用系光パスの光帯域幅が予備系光パスの光帯域幅よりも少なくなってしまう。
【００３３】
それに対して、本実施形態の光ネットワーク制御装置１００によれば、一方の光パスの光帯域の総計量が、他方の光パスの光帯域の総計量以上となるように、光帯域をそれぞれ設定する。この場合における、光ネットワーク全体の光パスへの光帯域割り当ての例を図５Ｂに示す。図５Ｂでは一例として、図５Ａにおける光パスＡ００１とＡ００２の対、および光パスＡ００３とＡ００４の対における運用系と予備系の設定を入れ替えて光帯域割り当てを行った場合を示す。これにより、光ネットワーク全体としては、運用系光パスの光帯域幅が予備系光パスの光帯域幅よりも大きくすることができる。
【００３４】
上述したように、予備系光パスの光帯域は通常時は使用されない光帯域であり、予備系光パスの光帯域が多くなると、光ネットワーク全体の光帯域幅の利用効率が低下してしまうという問題が生じる。しかし、本実施形態の光ネットワーク制御装置１００では、光パス長だけを考慮するのではなく、運用系光パスおよび予備系光パスの光帯域幅までも考慮に入れて光帯域を設定することが可能となるので、このような問題を解決することができる。
【００３５】
続いて、本実施形態による光ネットワーク制御装置１００の動作について、さらに具体的に説明する。
【００３６】
図２に示したように、光ノードＡ１００１〜Ｅ１００５はリング状に接続されている。また、光ノードＡ１００１と光ノードＣ１００３からなる光ノード対の間には二つの光パスが設定されている。すなわち、光ノードＡ１００１→光ノードＢ１００２→光ノードＣ１００３の順に信号光が通過する光パス１０１１と、光ノードＡ１００１→光ノードＥ１００５→光ノードＤ１００４→光ノードＣ１００３の順に信号光が通過する光パス１０１０が設定されている。なお、光ノード１００１〜１００５の間のそれぞれの距離は等しいものとする。
【００３７】
ここで、光パス１０１１と光パス１０１０は、通信容量は等しいが伝送距離が異なる。つまり、光パス１０１１は２ホップであるのに対して、光パス１０１０は３ホップである。したがって、図３に示した関係を参照すると、光パス１０１１に割り当てる光帯域は、光パス１０１０に割り当てる光帯域の２／３となる。図２では、単位光帯域を１スロットとし、光パス１０１１に割り当てる光帯域１０２１は２スロット、光パス１０１０に割り当てる光帯域１０２０は３スロットとして示している。
【００３８】
光ネットワーク制御装置１００はさらに、光ネットワーク１０００の光ノードから新たな光ノード対を選択し、この光ノード対の間に光パスを設定する。図６に、図２に示した光ノード間の光パスの設定に加えて、新たな光ノード間に光パスを設定した場合の一例を示す。
【００３９】
図６では、光ノードＡ３００１と光ノードＤ３００４からなる光ノード対と、光ノードＢ３００２と光ノードＥ３００５からなる光ノード対のそれぞれの間に複数の光パスを設定する場合を示す。すなわち、光ノードＡ３００１と光ノードＤ３００４の間には、左回りに２ホップで接続する光パス３０１２と、右回りに３ホップで接続する光パス３０１３が設定される。同様に、光ノードＢ３００２と光ノードＥ３００５の間には、左回りに２ホップで接続する光パス３０１４と、右回りに３ホップで接続する光パス３０１５が設定される。
【００４０】
上述したＯＳＰＦプロトコルに基づいて光パスを割り当てる場合には、最短距離の光パスを運用系光パスに割り当てることになるので、光パス３０１２と光パス３０１４が運用系光パスに、光パス３０１３と光パス３０１５が予備系光パスに割り当てられることになる。
【００４１】
ここで、必要となる光帯域幅に注目すると、光パス３０１２と光パス３０１４に必要な光帯域幅はそれぞれ２スロット幅であり、光パス３０１３と光パス３０１５に必要な光帯域幅はそれぞれ３スロット幅である。したがって、光ネットワーク全体で運用系光パスに割り当てられる光帯域幅は、光パス３０１１（１０１１）、光パス３０１２、および光パス３０１４に対してそれぞれ２スロット幅であり、合計６スロット幅となる。一方、予備系光パスに割り当てられる光帯域幅は、光パス３０１０（１０１０）、光パス３０１３、および光パス３０１５に対してそれぞれ３スロット幅であり、合計９スロット幅となる。運用系光パスの光帯域幅は通常時の光通信に使用されるが、予備系光パスの光帯域幅は通常時には使用されない。しかし、上述したように、ＯＳＰＦプロトコルにより光パスを割り当てる場合には、通常時に使用されない予備系光パスの光帯域幅が運用系光パスの光帯域幅を上回ることになる。そのため、光ネットワーク全体の実効的な利用効率が低下してしまう。
【００４２】
それに対して、本実施形態の光ネットワーク制御装置１００によれば、光ネットワーク全体の運用系光パスの光帯域幅が予備系光パスの光帯域幅以上となるように光帯域をそれぞれ設定する。具体的には例えば、光パス３０１２と光パス３０１４を予備系光パスに割り当て、光パス３０１３と光パス３０１５を運用系光パスに割り当てる。これにより、光ネットワーク全体の運用系光パス光帯域幅は、光パス３０１１（１０１１）に対して２スロット幅、光パス３０１３および光パス３０１５に対してそれぞれ３スロット幅であり、合計８スロット幅となる。一方、予備系光パスの光帯域幅は、光パス３０１０（１０１０）に対して３スロット幅、光パス３０１２および光パス３０１４に対してそれぞれ２スロット幅であり、合計７スロット幅となる。つまり、運用系光パスに割り当てる光帯域幅を予備系光パスに割り当てる光帯域幅よりも多くすることができる。その結果、光ネットワーク全体における実効的な光帯域の利用効率の低下を防止することができる。
【００４３】
次に、本実施形態による光ネットワーク制御方法について説明する。本実施形態の光ネットワーク制御方法はフレキシブル周波数グリッドを用いた高密度波長分割多重方式による光ネットワークを制御する。
【００４４】
本実施形態の光ネットワーク制御方法は、まず、光ネットワークを構成する複数の光ノードのうちの２個の光ノードからなる光ノード対を複数個選択する。これらの複数の光ノード対のそれぞれの間に、光ノード対を異なる経路で結ぶ第１の光パスと第２の光パスを含む光パスを設定する。そして、光パスの長さと通信容量に基づいて、第１の光パスの光帯域の総計が、第２の光パスの光帯域の総計よりも大きくなるように、光帯域をそれぞれ設定する。
【００４５】
さらに、光パスを設定する際に、第１の光パスを運用系光パスに割り当て、第２の光パスを予備系光パスに割り当てることができる。
【００４６】
以上説明したように、本実施形態による光ネットワーク制御装置および光ネットワーク制御方法によれば、光ネットワーク全体の光帯域の利用効率を向上させることができる。その理由は以下の通りである。本実施形態の光ネットワーク制御装置および制御方法では、光パス長とトラフィック量（通信容量）に応じて必要最低限の光帯域割り当てを行うとともに、運用系光パスに割り当てる光帯域を予備系光パスに割り当てる光帯域よりも多くなるように設定する。これにより、光ネットワーク全体で実際に使用される光帯域を増大させることが可能となり、実効的な光帯域が増加するからである。
【００４７】
〔第２の実施形態〕
次に、本発明の第２の実施形態について説明する。図７は、本発明の第２の実施形態に係る光ネットワーク制御装置２００の構成を示すブロック図である。
【００４８】
光ネットワーク制御装置２００は、フレキシブル周波数グリッドを用いた高密度波長分割多重方式による光ネットワークを制御するために用いられ、光パス設定手段１１０と光帯域設定手段１２０とを有する。これらの手段の構成および動作は第１の実施形態による光ネットワーク制御装置１００におけるものと同様である。
【００４９】
光ネットワーク制御装置２００は、未使用光帯域検索手段２１０と光パス生成手段２２０をさらに有する。未使用光帯域検索手段２１０は、光ネットワーク内において未使用である光帯域を検索する。光パス生成手段２２０は、未使用光帯域検索手段２１０が検索した結果から得た中心波長が異なる複数の未使用光帯域を、波長多重することによって新規光パスを生成する。ここで、光パス設定手段１１０が、この新規光パスを運用系光パスおよび予備系光パスのいずれか一方に割り当てるようにすることができる。
【００５０】
このような構成としたことにより、本実施形態の光ネットワーク制御装置２００によれば、光ネットワーク全体で利用可能な光帯域を使い切ることができる。その理由は以下の通りである。本実施形態の光ネットワーク制御装置２００によれば、必要な運用系光パスと予備系光パスの設定を行った後に、残存する未使用の光帯域を波長多重することによって、新規の光パスを生成することができる。これにより、光ネットワーク内で光パスとして割り当てられない未使用光帯域をなくすことができるためである。
【００５１】
さらに、本実施形態の光ネットワーク制御装置２００によれば、ネットワークの信頼性を向上させることができる。その理由は、残存する未使用の光帯域を用いて生成した新規の光パスを、追加の予備系光パスとして使用することによって、多重障害に備えることが可能となるからである。
【００５２】
このとき、運用系光パスの光帯域の利用効率を最大化した上で、それとは独立に残存する未使用の光帯域を利用して追加の予備系光パスを生成することによって多重障害に備えることが可能である。そのため、光ネットワークの光帯域の利用効率向上と信頼性向上を同時に実現することができる。
【００５３】
次に、本実施形態による光ネットワーク制御装置２００の動作について図８Ａ、８Ｂを用いて詳細に説明する。光ネットワーク制御装置２００は、上述したように、複数の不連続な未使用光帯域を波長多重することによって新規の光パスを生成する。
【００５４】
図８Ａ、８Ｂは、光ネットワーク全体の光パスへの光帯域割り当てを示す模式図である。図８Ａは図５Ｂと同じであり、光ネットワーク制御装置２００が第１の実施形態による光ネットワーク制御装置１００と同様に、運用系光パスおよび予備系光パスに光帯域を割り当てた場合を示す。このとき、未使用の光帯域が残っていた場合、光ネットワーク制御装置２００は図８Ｂに示すように、これらの未使用帯域を集めて波長多重し、新規の光パスを生成する。図８Ａ、８Ｂに示した例では、光帯域４０１１〜４０１６が、運用系光パスおよび予備系光パスに光帯域を割り当てた後に、光ネットワーク全体の中で未使用のまま残った未使用光帯域である。
【００５５】
図８Ｂに示すように、例えば、新規光パス生成のために４スロット分の光帯域が必要な場合、未使用光帯域４０１１〜４０１６の個々の未使用光帯域だけでは生成条件を満たすことができない。そこで、光ネットワーク制御装置２００は複数の未使用光帯域を波長多重し、全体として新規光パス生成条件を満足するようにする。図８Ｂの例では、未使用光帯域４０１１〜４０１４と、未使用光帯域４０１５、４０１６をそれぞれ波長多重することによって、２個の新規光パス４０２０、４０２１を生成することが可能となる。
【００５６】
このように波長多重によって生成された新規光パスは、運用系光パスおよび予備系光パスの双方で利用することができる。例えば、図８Ｂにおいて、４スロット分の光帯域によって運用系光パスを形成する光帯域４００２に対して、追加の運用系光パスとして新規光パスを利用することができる。この場合、光ネットワーク全体として光パスが２個だけ新たに生成されたことになるので、光帯域の利用効率を向上させることができる。
【００５７】
具体的に説明すると図８Ａ、８Ｂに示した例では、本実施形態による新規光パスの生成を行わなかった場合の未使用光帯域は、図８Ａに示すように１０スロットである。それに対して本実施形態によれば、図８Ｂに示すように未使用光帯域は２スロットとなる。光ネットワーク全体の光帯域は３４スロットであるから、本実施形態を実施する前後で光ネットワークの利用効率が、約７０％（（（３４−１０）／３４）×１００）から約９４％（（（３４−２）／３４）×１００）に向上することがわかる。すなわち、図８Ａ、８Ｂに示した例では、本実施形態の光ネットワーク制御装置２００によれば、光ネットワークにおける光帯域の利用効率を２４％向上させることができる。
【００５８】
また、本実施形態の光ネットワーク制御装置２００によれば、未使用光帯域を波長多重することによって生成した新規光パスを、予備系光パスに割り当てることもできる。例えば、３スロットの光帯域４００１と光帯域４００６に割り当てられた予備系光パスに対して、追加の予備系光パスとして利用することが可能である。これによって、２重障害にまで対応可能となるので、光ネットワークの障害耐性をさらに向上させることができる。
【００５９】
具体的に説明すると図８Ａ、８Ｂに示した例では、運用系光パスと予備系光パスのペアとして次の５組が設定されている。すなわち、（４００１、４００２）（４００３、４００４）（４００５、４００６）（４００７、４００８）（４００９、４０１０）の５ペアである。したがって、運用系光パスに対して予備系光パスが１００％準備されている。この場合に本実施形態の光ネットワーク制御装置２００を用いると、２ペアが２重障害に対応したものとなる。すなわち、運用系光パスと予備系光パスのペアは、（４００１＋（４０１１〜４０１４）、４００２）（４００３、４００４）（４００５、４００６＋（４０１５〜４０１６））（４００７、４００８）（４００９、４０１０）となる。２重障害に対応している場合の障害回復率を２００％とすると、光ネットワーク全体の障害回復率は、（２×２００＋３×１００）／５＝１４０％となる。したがって、本実施形態の光ネットワーク制御装置２００によれば、障害回復率を１００％から１４０％に４０％向上させることができる。
【００６０】
次に、本実施形態による光ネットワーク制御装置２００の別の動作について図９Ａ、９Ｂを用いて詳細に説明する。ここでは、光ネットワーク制御装置２００は、光帯域の利用効率の向上を第１の動作指針とし、障害回復率の向上を第２の動作指針とし、第１の動作指針を優先して動作する。すなわち、光帯域の利用効率の向上を優先して光帯域の割り当てを行う。
【００６１】
図９Ａ、９Ｂは、光ネットワーク全体の光パスへの光帯域割り当てを示す模式図である。図９Ａは図８Ａと同じであり、光ネットワーク制御装置２００が第１の実施形態による光ネットワーク制御装置１００と同様に、運用系光パスおよび予備系光パスに光帯域を割り当てた場合を示す。
【００６２】
この状態で、光ネットワーク制御装置２００は第１の動作指針に従って、未使用光帯域のスロット数を最小化する。次に、第２の動作指針に従って、追加の予備パス数を最大化するように動作する。このとき、光ネットワーク制御装置２００の光パス設定手段１１０は新規光パスを、予備系光パスの必要な光帯域が小さい順に、予備系光パスの追加予備系パスとして割り当てることができる。これにより、未使用光帯域を最小化しつつ、追加の予備パス数を最大化することができる。
【００６３】
このときの光帯域の割り当てについて、図９Ｂを用いて具体的に説明する。予備系光パス向けの光帯域のうち必要な光帯域幅が小さい順に、未使用光帯域を追加の予備光帯域５０２０〜５０２３として割り当てる。つまり、光帯域５００４（１スロット）、５００８（２スロット）、５０１０（２スロット）、５００１（３スロット）、５００６（３スロット）の順に割り当てる。図９Ａ、９Ｂに示した例では、未使用光帯域のスロット数は全部で１０個であるから、予備系光パス向けの光帯域５００６（３スロット）に対する追加の予備系光パスには光帯域は割り当てられない。そのため、２スロット分の未使用光帯域が割り当てられないまま残ることになる。
【００６４】
これに続いて、再度、未使用光帯域の割り当てを行う。このときも、光ネットワーク制御装置２００は、第１の動作指針である光帯域の利用効率の向上を、第２の動作指針である障害回復率の向上よりも優先して動作する。
【００６５】
この場合、未使用光帯域は２スロットであるので、予備系光パス向けの光帯域５００４（１スロット）に対する２つめの追加の予備系光パスとして追加の予備光帯域５０３１を割り当てることにより、割り当ては終了する。さらに、同様な割り当てを繰り返す。このとき、光帯域５００４に対する追加の予備系光パスとして追加の予備光帯域５０４１を割り振った段階で未使用光帯域のスロット数がゼロとなるので、未使用光帯域の割り当ては完了する。
【００６６】
この結果、未使用光帯域のスロット数は、本実施形態による動作の前後で、１０スロットからゼロになる。また、追加の予備系光パスは、光帯域５００４に対しては４重に、光帯域５００８、５０１０、５００１に対してはそれぞれ２重になる。したがって、光ネットワークにおける光帯域の利用効率は、約７０％（（（３４−１０）／３４）×１００）から１００％（（（３４−０）／３４）×１００）に向上し、障害回復率は２２０％（（１×４００＋３×２００＋１×１００）／５）となる。すなわち、本実施形態による光ネットワーク制御装置２００によれば、光ネットワークの光帯域利用効率を１００％に最大化しつつ、障害回復率を約２倍向上させることができる。
【００６７】
次に、本実施形態による光ネットワーク制御方法について説明する。本実施形態の光ネットワーク制御方法はフレキシブル周波数グリッドを用いた高密度波長分割多重方式による光ネットワークを制御する。
【００６８】
本実施形態の光ネットワーク制御方法は、まず、光ネットワークを構成する複数の光ノードのうちの２個の光ノードからなる光ノード対を複数個選択する。これらの複数の光ノード対のそれぞれの間に、光ノード対を異なる経路で結ぶ第１の光パスと第２の光パスを含む光パスを設定する。そして、光パスの長さと通信容量に基づいて、第１の光パスの光帯域の総計が、第２の光パスの光帯域の総計よりも大きくなるように、光帯域をそれぞれ設定する。また、光パスを設定する際に、第１の光パスを運用系光パスに割り当て、第２の光パスを予備系光パスに割り当てることができる。
【００６９】
ここまでのステップは第１の実施形態による光ネットワーク制御方法と同様である。本実施形態の光ネットワーク制御方法はさらに、光ネットワーク内において未使用である光帯域を検索する。そして、検索した結果から得た中心波長が異なる複数の未使用光帯域を、波長多重することによって新規光パスを生成する。そして、光パスを設定する際に、新規光パスを、運用系光パスおよび予備系光パスのいずれか一方に割り当てることができる。また、光パスを設定する際に、新規光パスを、予備系光パスの光帯域が小さい順に、予備系光パスの追加予備系パスとして割り当てることとしてもよい。
【００７０】
以上説明したように、本実施形態による光ネットワーク制御装置および光ネットワーク制御方法によれば、光ネットワークにおける光帯域の利用効率の向上と信頼性向上をそれぞれ独立に実現することができる。
【００７１】
すなわち、未使用光帯域を利用して生成した新規光パスのすべてを運用系光パスに新たに設定すれば、光ネットワークの実効的な通信容量が増加する。一方、予備系光パスに設定することとすれば運用系光パスに対して、多重障害にも対応することが可能となり障害耐性が向上する。また、新規光パスを運用系光パスおよび予備系光パスに割り当てる際の比率を設定することも可能である。そのため、ユーザが大容量通信を要求している場合には運用系光パスに割り当てる比率を増やし、信頼性を要求している場合には予備系光パスに割り当てる比率を増やすことができる。それによって、ユーザの要求に応じた光パスの設定および制御が可能となる。
【００７２】
本実施形態においては、光ネットワーク制御装置２００は、光帯域の利用効率の向上を第１の動作指針とし、障害回復率の向上を第２の動作指針とし、第１の動作指針を優先して動作する場合について説明した。しかし、これに限らず、光ネットワーク制御装置２００が、運用系光パスに割り当てる光帯域を予備系光パスに割り当てる光帯域よりも大きくすることを第１の動作指針とし、追加の予備系光パスの個数を最大化することを第２の動作指針としてもよい。このとき、第１の動作指針に基づく光パスへの光帯域の割り当て方法が複数パターン存在するとき、第２の動作指針を第１の動作指針の従属動作指針として適用する。それにより、運用系光パスに割り当てる光帯域の幅を最大化しつつ、光ネットワーク全体の障害回復率を向上させることができる。
【００７３】
この場合に、光ネットワーク内における運用系光パスの中継光ノードにおける光カットスルー回数を最大化することによって消費電力の削減効率を最大化することを第２の動作指針としてもよい。そして、第１の動作指針に基づく光パスへの光帯域の割り当て方法が複数パターン存在するとき、第２の動作指針を第１の動作指針の従属動作指針として適用する。それにより、運用系光パスに割り当てる光帯域の幅を最大化しつつ、光ネットワーク全体の消費電力の削減効率を向上させることができる。
【００７４】
これらの場合とは逆に、第１の動作指針を第２の動作指針の従属動作指針とすることによって、光帯域の利用効率よりも障害回復率または消費電力の削減効率の向上を優先させることとしてもよい。これによって、光帯域の利用効率向上と、障害回復率または消費電力の削減効率の向上を同時に行うことが可能となる。
【００７５】
また、光帯域の利用効率を最大化するという第１の動作指針に加えて、消費電力の削減効率の最大化、障害回復率の向上等、ユーザの要求に応じて複数の動作指針を追加または削除することが可能である。そして、これらの複数の動作指針の優先度を変更可能とすることによって、ユーザが優先する機能に対応することができる。
【００７６】
さらに、光ネットワーク全体を複数のドメインに分割し、これらのドメイン毎に動作指針を設定することとしてもよい。これによって、ドメイン毎にユーザの要求に対応することが可能になる。
【００７７】
上述した実施形態による光ネットワーク制御装置および光ネットワーク制御方法によれば、光帯域の利用効率が向上するので、ハードウェア変更することなく、より多くのトラフィックを収容することが可能となる。そのため、低コストで通信容量を拡張することができる。また、上記実施形態による光ネットワーク制御装置および制御方法は、ソフトウェアによって構成することが可能であるので、低コストで実現することができる。さらに、上記実施形態による構成は光ネットワークの規模やトポロジーには依存しない。したがって、ノード数や光パス数が増加しても上記実施形態による光ネットワーク制御装置および制御方法を用いることができる。そのため、スケーラビリティが高いという効果が得られる。
【００７８】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００７９】
この出願は、２０１３年９月９日に出願された日本出願特願２０１３−１８６５６１を基礎とする優先権を主張し、その開示の全てをここに取り込む。
【符号の説明】
【００８０】
１００、２００    光ネットワーク制御装置
１１０    光パス設定手段
１２０    光帯域設定手段
２１０    未使用光帯域検索手段
２２０    光パス生成手段
１０００    光ネットワーク
１００１〜１００５、３００１〜３００５    光ノード
１０１０、１０１１、３０１０〜３０１５    光パス
１０２０、１０２１、Ａ００１〜Ａ０１０、Ｂ００１〜Ｂ０１０、３０２０、３０２１、４００１〜４０１０、５００１〜５０１０    光帯域
４０１１〜４０１６、５０１１〜５０１６    未使用光帯域
４０２０、４０２１    新規光パス
５０２０〜５０２３、５０３１、５０４１    追加の予備光帯域
【図１】
0006451636.tif 000002
【図２】
0006451636.tif 000003
【図３】
0006451636.tif 000004
【図４】
0006451636.tif 000005
【図５Ａ】
0006451636.tif 000006
【図５Ｂ】
0006451636.tif 000007
【図６】
0006451636.tif 000008
【図７】
0006451636.tif 000009
【図８Ａ】
0006451636.tif 000010
【図８Ｂ】
0006451636.tif 000011
【図９Ａ】
0006451636.tif 000012
【図９Ｂ】
0006451636.tif 000013